【手続補正書】
【提出日】令和2年2月12日(2020.2.12)
【手続補正１】
【補正対象書類名】特許請求の範囲
【補正対象項目名】全文
【補正方法】変更
【補正の内容】
【特許請求の範囲】
【請求項１】
方向を指示する操作部材に対する操作を検出するための検出手段であって、第１の方向を指示する操作を検出する第１の検出手段及び第２の方向を指示する操作を検出する第２の検出手段と、
第１の動作モードにおいては、
前記第２の検出手段で操作を検出することなく前記第１の検出手段で操作を検出した場合に第１の処理を行い、
前記第１の検出手段で操作を検出することなく前記第２の検出手段で操作を検出した場合に第２の処理を行い、
前記第１の検出手段で操作を検出しており前記第１の処理を行っている状態で、さらに前記第２の検出手段で操作を検出した場合に第３の処理を行い、
第２の動作モードにおいては、
前記第２の検出手段で操作を検出することなく前記第１の検出手段で操作を検出した場合に第４の処理を行い、
前記第１の検出手段で操作を検出することなく前記第２の検出手段で操作を検出した場合に第５の処理を行い、
前記第１の検出手段で操作を検出しており前記第４の処理を行っている状態で、さらに前記第２の検出手段で操作を検出した場合、前記第４の処理を継続して行う、
ように制御する制御手段と、
を有することを特徴とする電子機器。
【請求項２】
前記制御手段は、
前記第１の動作モードにおいて、
前記第２の検出手段で操作を検出しており前記第２の処理を行っている状態で、さらに前記第１の検出手段で操作を検出した場合に第３の処理を行い、
前記第２の動作モードにおいて、
前記第２の検出手段で操作を検出しており前記第５の処理を行っている状態で、さらに前記第１の検出手段で操作を検出した場合、前記第５の処理を継続して行う、
ように制御することを特徴とする請求項１に記載の電子機器。
【請求項３】
前記制御手段は、
前記第１の動作モードにおいて、
前記第１の検出手段で操作を検出したまま第１の時間が経過すると、前記第１の検出手段での操作の検出が継続している期間、前記第１の時間より短い第２の時間ごとに前記第１の処理を繰り返し行い、その状態からさらに前記第２の検出手段で操作を検出すると、前記第２の時間ごとの前記第１の処理の繰り返しを停止し、前記第１の検出手段と前記第２の検出手段とで操作を検出したまま前記第１の時間が経過すると、前記第１の検出手段と前記第２の検出手段での操作の検出が継続している期間、前記第２の時間ごとに前記第３の処理を繰り返し行い、
前記第２の動作モードにおいて、
前記第１の検出手段で操作を検出したまま第１の時間が経過すると、前記第１の検出手段での操作の検出が継続している期間、前記第２の時間ごとに前記第４の処理を繰り返し行い、その状態からさらに前記第２の検出手段で操作を検出しても、前記第２の時間ごとの前記第４の処理の繰り返しを継続するように制御する、
ことを特徴とする請求項１または２に記載の電子機器。
【請求項４】
前記制御手段は、
前記第１の動作モードにおいて、
前記第１の検出手段と前記第２の検出手段のいずれでも操作を検出していない状態から、前記第１の検出手段と前記第２の検出手段で共に操作を検出した場合に前記第３の処理を行い、
前記第２の動作モードにおいて、
前記第１の検出手段と前記第２の検出手段のいずれでも操作を検出していない状態から、前記第１の検出手段と前記第２の検出手段で共に操作を検出した場合には処理を行わない、
ように制御することを特徴とする請求項１乃至３のいずれか１項に記載の電子機器。
【請求項５】
前記制御手段は、
前記第１の動作モードにおいて、
前記第１の検出手段と前記第２の検出手段のいずれでも操作を検出していない状態から、前記第１の検出手段と前記第２の検出手段で共に操作を検出した場合に前記第３の処理を行い、
前記第２の動作モードにおいて、
前記第１の検出手段と前記第２の検出手段のいずれでも操作を検出していない状態から、前記第１の検出手段と前記第２の検出手段で共に操作を検出した場合において、前記第４の処理または前記第５の処理を前回行ってから所定時間以上の場合には処理を行わず、前記第４の処理または前記第５の処理を前回行ってから所定時間未満である場合には前回行っていた前記第４の処理または前記第５の処理を行う、
ように制御することを特徴とする請求項１乃至３のいずれか１項に記載の電子機器。
【請求項６】
前記制御手段は、
前記第１の動作モードにおいて、
前記第１の検出手段と前記第２の検出手段のいずれでも操作を検出していない状態から、前記第１の検出手段と前記第２の検出手段で共に操作を検出した場合に前記第３の処理を行い、
第３の動作モードにおいて、
前記第２の検出手段で操作を検出することなく前記第１の検出手段で操作を検出した場合に特定の処理を行い、
前記第１の検出手段で操作を検出することなく前記第２の検出手段で操作を検出した場合には操作に応じた処理を行わず、
前記第１の検出手段と前記第２の検出手段のいずれでも操作を検出していない状態から、前記第１の検出手段と前記第２の検出手段で共に操作を検出した場合に前記特定の処理を行う、
ように制御することを特徴とする請求項１乃至５のいずれか１項に記載の電子機器。
【請求項７】
第１の方向を指示する第１の操作と、
前記第１の方向と垂直な第２の方向を指示する第２の操作と、
前記第１の方向及び前記第２の方向と９０度未満異なる第３の方向を指示する第３の操作とを検出する検出手段と、
第１の動作モードにおいては、
前記第１の操作に応じて第１の処理を行い、
前記第２の操作に応じて第２の処理を行い、
前記第１の操作に応じて前記第１の処理を行っている状態で、前記第３の操作を検出したことに応じて第３の処理を行い、
第２の動作モードにおいては、
前記第１の操作に応じて第４の処理を行い、
前記第２の操作に応じて第５の処理を行い、
前記第１の操作に応じて前記第４の処理を行っている状態で、前記第３の操作を検出しても、前記第４の処理を継続して行う、
ように制御する制御手段と、
を有することを特徴とする電子機器。
【請求項８】
前記制御手段は、
前記第１の動作モードにおいて、
前記第１の操作が第１の時間経過すると、前記第１の操作が継続している期間、前記第１の時間より短い第２の時間ごとに前記第１の処理を繰り返し行い、その状態から前記第３の操作を検出すると、前記第２の時間ごとの前記第１の処理の繰り返しを停止し、前記第３の操作を検出したまま前記第１の時間が経過すると、前記第３の操作が継続している期間、前記第２の時間ごとに前記第３の処理を繰り返し行い、
前記第２の動作モードにおいて、
前記第１の操作を検出したまま第１の時間が経過すると、前記第１の操作が継続している期間、前記第２の時間ごとに前記第４の処理を繰り返し行い、その状態から前記第３の操作を検出しても、前記第２の時間ごとの前記第４の処理の繰り返しを継続する、
ように制御することを特徴とする請求項７に記載の電子機器。
【請求項９】
前記制御手段は、
前記第１の動作モードにおいて、
前記第１の操作も前記第２の操作も検出していない状態から前記第３の操作を検出した場合に前記第３の処理を行い、
前記第２の動作モードにおいて、
前記第１の操作も前記第２の操作も検出していない状態から前記第３の操作を検出した場合には前記第３の操作に応じた処理を行わない、
ように制御することを特徴とする請求項７または８に記載の電子機器。
【請求項１０】
前記制御手段は、
前記第１の動作モードにおいて、
前記第１の操作も前記第２の操作も検出していない状態から前記第３の操作を検出した場合に前記第３の処理を行い、
前記第２の動作モードにおいて、
前記第１の操作も前記第２の操作も検出していない状態から前記第３の操作を検出した場合に、前記第４の処理または前記第５の処理を前回行ってから所定時間以上の場合には前記第３の操作に応じた処理を行わず、前記第４の処理または前記第５の処理を前回行ってから所定時間未満である場合には、前記第３の操作に応じて、前回行っていた前記第４の処理または前記第５の処理を行う、
ように制御することを特徴とする請求項７乃至９のいずれか１項に記載の電子機器。
【請求項１１】
前記制御手段は、
前記第１の動作モードにおいて、
前記第１の操作も前記第２の操作も検出していない状態から前記第３の操作を検出した場合に前記第３の処理を行い、
第３の動作モードにおいて、
前記第１の操作に応じて特定の処理を行い、
前記第２の操作があっても当該第２の操作に応じた処理を行わず、
前記第３の操作に応じて前記特定の処理を行う、
ように制御することを特徴とする請求項７乃至１０のいずれか１項に記載の電子機器。
【請求項１２】
第１の方向を指示する第１の操作と、
前記第１の方向と垂直な第２の方向を指示する第２の操作と、
前記第１の方向及び前記第２の方向と９０度未満異なる第３の方向を指示する第３の操作とを検出する検出手段と、
前記第１の操作に応じて第４の処理を行い、
前記第２の操作に応じて第５の処理を行い、
前記第１の操作に応じて前記第４の処理を行っている状態で、前記第３の操作を検出しても、前記第４の処理を継続して行う、
ように制御する制御手段と、を有することを特徴とする電子機器。
【請求項１３】
前記電子機器は、上、右上、右、右下、下、左下、左、左上の少なくとも８方向を指示する操作を受け付け可能であり、前記第１の方向と前記第２の方向は前記８方向に含まれる上、右、下、左のいずれかの互いに垂直な２方向であることを特徴とする請求項１乃至１２のいずれか１項に記載の電子機器。
【請求項１４】
前記少なくとも８方向を指示する操作を受け付ける単一の操作部材を更に有することを特徴とする請求項１３に記載の電子機器。
【請求項１５】
前記第１の動作モードは、右上、右下、左下、左上の少なくとも１方向を指示する操作が有効な動作モードであり、
前記第２の動作モードは、右上、右下、左下、左上を指示する操作が無効な動作モードであることを特徴とする請求項１乃至１１のいずれか１項に記載の電子機器。
【請求項１６】
前記電子機器は、撮像手段を有する撮像装置であることを特徴とする請求項１乃至１５のいずれか１項に記載の電子機器。
【請求項１７】
方向を指示する操作部材に対する操作を検出するための検出手段を有する電子機器の制御方法であって、前記検出手段は、第１の方向を指示する操作を検出する第１の検出手段及び第２の方向を指示する操作を検出する第２の検出手段とを含み、
前記制御方法が、
第１の動作モードにおいて、
前記第２の検出手段で操作を検出することなく前記第１の検出手段で操作を検出した場合に第１の処理を行い、
前記第１の検出手段で操作を検出することなく前記第２の検出手段で操作を検出した場合に第２の処理を行い、
前記第１の検出手段で操作を検出しており前記第１の処理を行っている状態で、さらに前記第２の検出手段で操作を検出した場合に第３の処理を行う、
ように制御する工程と、
第２の動作モードにおいて、
前記第２の検出手段で操作を検出することなく前記第１の検出手段で操作を検出した場合に第４の処理を行い、
前記第１の検出手段で操作を検出することなく前記第２の検出手段で操作を検出した場合に第５の処理を行い、
前記第１の検出手段で操作を検出しており前記第４の処理を行っている状態で、さらに前記第２の検出手段で操作を検出した場合、前記第４の処理を継続して行う、
ように制御する工程と、
を有することを特徴とする電子機器の制御方法。
【請求項１８】
第１の方向を指示する第１の操作と、
前記第１の方向と垂直な第２の方向を指示する第２の操作と、
前記第１の方向及び前記第２の方向と９０度未満異なる第３の方向を指示する第３の操作とを検出する検出手段と、とを有する電子機器の制御方法であって、
第１の動作モードにおいて、
前記第１の操作に応じて第１の処理を行い、
前記第２の操作に応じて第２の処理を行い、
前記第１の操作に応じて前記第１の処理を行っている状態で、前記第３の操作を検出したことに応じて第３の処理を行う、
ように制御する工程と、
第２の動作モードにおいて、
前記第１の操作に応じて第４の処理を行い、
前記第２の操作に応じて第５の処理を行い、
前記第１の操作に応じて前記第４の処理を行っている状態で、前記第３の操作を検出しても、前記第４の処理を継続して行う、
ように制御する工程と、
を有することを特徴とする電子機器の制御方法。
【請求項１９】
第１の方向を指示する第１の操作と、前記第１の方向と垂直な第２の方向を指示する第２の操作と、前記第１の方向及び前記第２の方向と９０度未満異なる第３の方向を指示する第３の操作とを検出する検出手段を有する電子機器の制御方法であって、
前記第１の操作に応じて第４の処理を行う工程と、
前記第２の操作に応じて第５の処理を行う工程と、
前記第１の操作に応じて前記第４の処理を行っている状態で、前記第３の操作を検出しても、前記第４の処理を継続して行うように制御する工程と、
を有することを特徴とする電子機器の制御方法。
【請求項２０】
コンピュータを、請求項１乃至１６のいずれか１項に記載された電子機器の各手段として機能させるためのプログラム。
【請求項２１】
コンピュータを、請求項１乃至１６のいずれか１項に記載された電子機器の各手段として機能させるためのプログラムを格納したコンピュータが読み取り可能な記憶媒体。
【手続補正２】
【補正対象書類名】明細書
【補正対象項目名】０００７
【補正方法】変更
【補正の内容】
【０００７】
上述の目的は、方向を指示する操作部材に対する操作を検出するための検出手段であって、第１の方向を指示する操作を検出する第１の検出手段及び第２の方向を指示する操作を検出する第２の検出手段と、第１の動作モードにおいては、第２の検出手段で操作を検出することなく第１の検出手段で操作を検出した場合に第１の処理を行い、第１の検出手段で操作を検出することなく第２の検出手段で操作を検出した場合に第２の処理を行い、第１の検出手段で操作を検出しており第１の処理を行っている状態で、さらに第２の検出手段で操作を検出した場合に第３の処理を行い、第２の動作モードにおいては、第２の検出手段で操作を検出することなく第１の検出手段で操作を検出した場合に第４の処理を行い、第１の検出手段で操作を検出することなく第２の検出手段で操作を検出した場合に第５の処理を行い、第１の検出手段で操作を検出しており第４の処理を行っている状態で、さらに第２の検出手段で操作を検出した場合、第４の処理を継続して行う、ように制御する制御手段と、を有することを特徴とする電子機器によって達成される。
【手続補正３】
【補正対象書類名】明細書
【補正対象項目名】００２４
【補正方法】変更
【補正の内容】
【００２４】
Ａ／Ｄ変換器２３が出力する画像データはメモリ３２に保存される。メモリ３２は、撮像部２２によって撮影され、Ａ／Ｄ変換器２３によりデジタルデータに変換された画像データや、表示部２８に表示するための画像データを格納する。メモリ３２は、所定枚数の静止画像や所定時間の動画像および音声を格納するのに十分な記憶容量を備えている。
【手続補正４】
【補正対象書類名】明細書
【補正対象項目名】００３５
【補正方法】変更
【補正の内容】
【００３５】
スイッチ３０１〜３０４は操作部材によって間接的に押下され、スイッチ３０１，３０３は、上下方向（第１の方向）を指示する操作を第１の方向の入力として検出する。また、スイッチ３０２，３０４は、左右方向（第２の方向）を指示する操作を第２の方向の入力として検出する。さらに、スイッチ３０１〜３０４のうち、周方向に隣接する２つのスイッチ（例えばスイッチ３０１と３０２）は、斜め方向（第３の方向）を指示する操作を第３の方向の入力として検出する。以下の説明では便宜上、操作部材をマルチコントローラー７４と呼び、中空円盤状の操作部材の右位置を押下する操作を、右方向を押下する操作と呼ぶ。なお、図３において、スイッチ３０１〜３０４を示す円が白抜きの場合は押下されていない状態を、黒塗りの場合は押下されている状態を示す。
【手続補正５】
【補正対象書類名】明細書
【補正対象項目名】００３９
【補正方法】変更
【補正の内容】
【００３９】
図３（ｄ）はマルチコントローラー７４の右方向が強く押下された状態を示している。押下が強いため、右方向を検出するスイッチ３０４に加え、下方向を検出するスイッチ３０３と上方向を検出するスイッチ３０１も押下状態に変化している。この場合、システム制御部５０は例えばスイッチ３０１と３０３のどちらが先に押下状態になったかに応じて右下方向または右上方向の入力と認識する。
【手続補正６】
【補正対象書類名】明細書
【補正対象項目名】００４０
【補正方法】変更
【補正の内容】
【００４０】
図３（ｅ）はマルチコントローラー７４の右方向よりやや下が押下された状態を示している。右方向を検出するスイッチ３０４に加え、下方向を検出するスイッチ３０３も押下状態に変化している。例えばデジタルカメラ１００を見下ろしながら操作した場合や、右方向の押下を保持し続けている間に押下位置がずれた場合などに起こりうる。ユーザが右方向を押下しようとしてこのような状態になった場合、ユーザの意図とは異なる右下方向の入力がなされてしまう。
【手続補正７】
【補正対象書類名】明細書
【補正対象項目名】００５１
【補正方法】変更
【補正の内容】
【００５１】
図５（ｃ）は図５（ａ）の状態でマルチコントローラー７４の下方向入力が検出され、フォーカス５０４が下方向に１つ移動して２番目の項目を選択する状態を示している。タブ５０２が選択されている状態は変化しない。
図５（ｂ）、（ｃ）に示すようにシステム制御部５０は、スイッチ３０２，３０４で操作を検出することなくスイッチ３０１，３０３で操作を検出した場合には、フォーカス５０４を上下に移動する処理を行う。
【手続補正８】
【補正対象書類名】明細書
【補正対象項目名】００５３
【補正方法】変更
【補正の内容】
【００５３】
図５（ｅ）は図５（ａ）の状態でマルチコントローラー７４の右方向入力が検出され、２番目のタブ５０２から３番目のタブ５０６が選択された状態に変更された状態を示している。
図５（ｄ）、（ｅ）に示すようにシステム制御部５０は、スイッチ３０１，３０３で操作を検出することなくスイッチ３０２，３０４で操作を検出した場合には、タブの切替処理を行う。